(57)【要約】【課題】  米を取り出す開口部の形成および封止が容易で自宅での使用性が向上し、携行が容易、かつ、携行時に障害物との衝突を避けることで安全性が向上し、さらに手提げ孔の破損を防止できる米袋を提供する。【解決手段】  和紙２とその裏側にラミネートされたヒートシール性樹脂フィルム３との複合層からなるシート材４の長手方向の１辺５を折り曲げ、長手向の他辺部６を不織布製の補強材７を挟んだ第１ヒートシール８と、これに隣接する第２ヒートシール１１により封止して前シート部９と後シート部１０とを連続して対向させる。また、長手方向の一端部を第３ヒートシール１２で封止し、長手方向の他端部に開口部１３を開設し、第１，第２ヒートシール８，１１の一部を切り抜いて一対の手提げ孔１４を設け、第３ヒートシール１２に平行して開閉自在な閉止手段１５を設ける。【選択図】        図１
2011025945.tif 000002
【特許請求の範囲】
【請求項１】
ヒートシール性樹脂フィルムを有するシート材の長手方向一方の辺部と他方の辺部との少なくとも一方の辺部とその付近が補強材を挟んだ第１ヒートシールにより封止されて、前シート部と後シート部が互いに対向して連続しているとともに、該第１ヒートシールの幅方向内側に隣接して前記前シート部と後シート部が第２ヒートシールにより封止され、かつ、長手方向の一端部を幅方向に延在する第３ヒートシールにより封止して長手方向の他端部に開口部が開設されており、
前記第１ヒートシールと第２ヒートシールの一部を切り抜いて一対の手提げ孔が長手方向の間隔をあけて設けられ、
前記第３ヒートシールから前記開口部側に離れた位置に該第３ヒートシールに平行で開閉自在な閉止手段が幅方向に延在して前記前シート部と後シート部に分割して設けられていることを特徴とする米袋。
【請求項２】
請求項１に記載の米袋において、
前記シート材は、表側の和紙と、この和紙の裏側にラミネートされたヒートシール性樹脂フィルムとの複合層からなることを特徴とする米袋。
【請求項３】
請求項１または請求項２に記載の米袋において、
前記補強材は不織布からなることを特徴とする米袋。
【請求項４】
請求項１，請求項２または請求項３に記載の米袋において、
前記一対の手提げ孔の内周域には、非切断部を介して前記第１ヒートシールに連続して該第１ヒートシールの一部と前記第２ヒートシールの一部とを有する舌片を残存させるとともに、該舌片を断面積の小さい引き千切り可能なゲートによって第２ヒートシールに連続させていることを特徴とする米袋。
【発明の詳細な説明】
【技術分野】
【０００１】
本発明は、米袋に係り、詳しくは、自宅での使用性および携行時の安全性を向上させるとともに、手提げ孔の破損を確実に防止できるようにした米袋に関するものである。
【背景技術】
【０００２】
従来の米袋として、たとえば特許文献１に記載のものが提案されている。この特許文献１に記載の米袋を図９に示す。この図において、米袋５０は、長手方向の寸法Ｌが幅方向の寸法Ｗよりも十分に大きい長方形を呈するポリエチレン樹脂製フィルムやポリプロピレン樹脂製フィルムからなる前パネル５１と後パネル５２とを重ね合わせ、その長手方向の両辺部を側縁シール５３により封止し、長手方向の一端部側は、長手方向に所定の間隔を有して幅方向に延在する下口元シール５４と、上口元シール５５および補強シール５６によって封止して、長手方向の他端部に開口部５７を開設するとともに、下口元シール５４と上口元シール５５の間に手提げ孔５８を設けたものである。
【０００３】
前記構成の米袋５０によれば、開口部５７を上に向けて所定量の米を充填した後、幅方向に延在する底シール５９により開口部５７を封止することで米袋５０内に米を封入してスーパマーケットや米販売店の店頭に陳列して販売に供することができ、購入者は手提げ孔５８を利用して携行することができる。
【０００４】
【特許文献１】特開２００８−２４３５２号公報
【発明の概要】
【発明が解決しようとする課題】
【０００５】
ところが、前記特許文献１に記載の米袋５０では、自宅で米袋５０内の米を取り出す場合、米袋５０の前パネル５１と後パネル５２とを下口元シール５４の近傍に平行して描いた一点鎖線Ｃに沿って全てを切断して米袋５０の長手方向の一端部を大きく切り開くか、あるいは一点鎖線Ｃにおけるｗで示す一部を切断して米袋５０の長手方向の一端部を小さく切り開く煩雑な作業を必要とする。しかも、前記の切り開き口を利用してストッカーに米の全量を投入する作業が困難であるため、米袋５０内に米が残存する場合や、当初より切り開き口から炊飯に必要な量の米を小出しする場合などでは、米袋５０内に残存している米の変質劣化を防ぐために切り開き口をクリップなどで密封する煩雑な手間が必要になるので、自宅での使用性に劣る。
【０００６】
一方、手提げ孔５８は、幅方向の寸法Ｗよりも十分に大きい長手方向の一端部側に設けられているため、米袋５０は寸法Ｌの大きい長手方向を上下に指向した状態で携行されることになる。そのため、携行時における米袋５０の揺動振幅が大きくなるので携行し辛いばかりか、米袋５０の下端からスーパマーケットや米販売店の通路あるいは自宅の床までの間隔が小さいので、通路あるいは床に目視し難い障害物が存在していていると、この障害物に誤って米袋５０が衝突して破損し、封入されている米がこぼれ落ちて飛散するおそれを有しており、携行時の安全性に劣る。
【０００７】
他方、米袋５０の携行時には、米の重量による応力を補強シート６０に分散させることで手提げ孔５８周辺の応力発生を抑えて、手提げ孔５８の破損を防止するように工夫している。しかし、補強シート６０に全応力が発生することになるので、補強シート６０が変形し、この変形が手提げ孔５８に波及して手提げ孔５８を破損させるおそれを有している。
【０００８】
本発明は、このような問題を解決するものであって、その目的とするところは、米を取り出す開口部の形成および封止が容易で自宅での使用性が向上し、携行が容易、かつ、携行時に障害物との衝突を避けることで安全性が向上し、さらに手提げ孔の破損を確実に防止できる米袋を提供することにある。
【課題を解決するための手段】
【０００９】
前記目的を達成するために、本発明に係る米袋は、ヒートシール性樹脂フィルムを有するシート材の長手方向一方の辺部と他方の辺部との少なくとも一方の辺部とその付近が補強材を挟んだ第１ヒートシールにより封止されて、前シート部と後シート部が互いに対向して連続しているとともに、該第１ヒートシールの幅方向内側に隣接して前記前シート部と後シート部が第２ヒートシールにより封止され、かつ、長手方向の一端部を幅方向に延在する第３ヒートシールにより封止して長手方向の他端部に開口部が開設されており、
前記第１ヒートシールと第２ヒートシールの一部を切り抜いて一対の手提げ孔が長手方向の間隔をあけて設けられ、
前記第３ヒートシールから前記開口部側に離れた位置に該第３ヒートシールに平行で開閉自在な閉止手段が幅方向に延在して前記前シート部と後シート部に分割して設けられていることを特徴としている。
【００１０】
これによれば、長手方向の他端部に開設した開口部を上に向けて所定量の米を充填した後、該開口部を幅方向に延在する第４ヒートシールにより封止することで米袋内に米を封入してスーパマーケットや米販売店の店頭に陳列して販売に供することができ、購入者は一対の手提げ孔を利用して米袋を携行することができる。
【００１１】
一方、自宅では、第３ヒートシールと閉止手段の間を幅方向の全長にわたって切断して閉止手段を視認可能位置に臨ませ、この閉止手段を開くことで米を取り出す開口部が形成され、開いた閉止手段を閉じることで米を取り出す開口部が封止されて、残存する米の変質劣化を防ぐことができるので自宅での使用性が向上する。
【００１２】
他方、一対の手提げ孔は、第１ヒートシールと第２ヒートシールの一部を切り抜いて長手方向の間隔をあけて設けられているので、長手向の寸法が幅方向の寸法よりも大きい通常の米袋であると、この米袋は寸法の大きい長手方向を横に指向した状態で携行されることになる。したがって、携行時における米袋の揺動振幅が小さく抑制されるので携行が容易になる。しかも、米袋の下端から路面や床面までの間隔を大きく確保できるので、路面や床面に目視し難い障害物が存在していても、この障害物との衝突を回避できるから携行時の安全性が向上する。
【００１３】
また、米袋の携行は、一方の手提げ孔に人差し指と中指の指腹をあてがって持ち下げ、かつ、他方の手提げ孔に薬指と子指の指腹をあてがって持ち下げることによって行える。そのため、米の重量は一対の手提げ孔に分散されて補強材に応力を発生させることになり、補強材の負担を軽減してその変形が抑えられる。これにより、各手提げ孔の変形が回避されて、各手提げ孔それぞれの破損を確実に防止することができる。
【００１４】
また、本発明に係る米袋は、前記補強材を不織布によって構成することが望ましい。これによると、不織布からなる補強材を挟んだ第１ヒートシールの硬度は、補強材を挟むことなく前シート部と後シート部を直接封止した第２ヒートシールの硬度よりも低く抑えられる。これにより、第１ヒートシールに柔軟性を持たせることができるので、複数本の指で米袋を持ち下げた時に感じる指腹の痛みを軽減できる。
【００１５】
さらに、本発明に係る米袋は、前記シート材を、表側の和紙と、この和紙の裏側全面にラミネートされたヒートシール性樹脂フィルムとの複合層で構成することが望ましい。これによると、表側の和紙によって和紙独特の優雅な雰囲気を醸しだして米袋の見栄えを大幅に向上させることができるとともに、充填されている米の変質劣化は、ヒートシール性樹脂フィルム独自の非通気性によって防止することができる。
【００１６】
また、本発明に係る米袋の前記一対の手提げ孔の内周域には、非切断部を介して前記第１ヒートシールに連続して該第１ヒートシールの一部と前記第２ヒートシールの一部とを有する舌片を残存させるとともに、該舌片を断面積の小さい引き千切り可能なゲートによって前記第１，第２ヒートシールの少なくとも第２ヒートシールに連続させることが望ましい。
【００１７】
これによれば、ゲートが引き千切られていない舌片の拘束状態で米袋を店頭に陳列することで、その米袋は未だ第三者による携行がなされていない手付かずの商品であることを購買者に認識させて購買欲を高めるのに役立つ。また、指先でゲートを引き千切ることにより、各手提げ孔内周域の舌片は拘束が解かれるので、指先で舌片を各手提げ孔から押し出しながら一方の手提げ孔に人差し指と中指の指腹をあてがって持ち下げ、他方の手提げ孔に薬指と子指の指腹をあてがって持ち下げることによって米袋を店頭から携行することができる。
【発明の効果】
【００１８】
本発明に係る米袋によれば、米を取り出す際に利用する開口部の形成および残存する米の変質劣化を防ぐための開口部の封止が容易になされるので、自宅での使用性が向上するとともに、携行が容易であり、かつ携行時における下端から路面や床面までの間隔を大きく確保して、路面や床面に存在している目視し難い障害物との衝突を回避することで携行時の安全性を向上させることができるばかりか、米の重量は一対の手提げ孔を補強している不織布からなる補強材に分散して応力を発生させるようにしていることで、補強材の変形が抑えられて各手提げ孔の変形を回避できるので、各手提げ孔の破損を確実に防止することができる。
【図面の簡単な説明】
【００１９】
【図１】本発明の一実施形態を示す正面図である。
【図２】図１のＩＩ−ＩＩ線に沿う断面図である。
【図３】手提げ孔の拡大正面図である。
【図４】図３のＩＶ−ＩＶ線に沿う断面図である。
【図５】米袋の携行状態を拡大して示す説明断面図である。
【図６】図１のＶＩ−ＶＩ線に沿う閉止手段の閉じ状態を示す断面図である。
【図７】閉止手段の開き状態を示す断面図である。
【図８】米を充填した状態を示す正面図である。
【図９】前パネルの一部を破断した従来例の正面図である。
【発明を実施するための形態】
【実施例】
【００２０】
以下、本発明の好ましい実施形態を図面に基づいて説明する。
図１は本発明の一実施形態を示す正面図、図２は図１のＩＩ−ＩＩ線に沿う断面図、図３は手提げ孔の拡大正面図、図４は図３のＩＶ−ＩＶ線に沿う断面図、図５は米袋携行時の説明断面図である。
【００２１】
図１〜図５において、米袋１は、長手方向の寸法Ｌが幅方向の寸法Ｗよりも十分に大きい長方形を呈する表側の和紙２と、この和紙２の裏側全面にラミネートされたポリエチレン樹脂製フィルムやポリプロピレン樹脂製フィルムなどのヒートシール性樹脂フィルム３との複合層からなるシート材４によって構成されており、その長手方向の１辺５が折り曲げられ、該長手方向の１辺５に平行な長手向の他辺部６は、不織布からなる補強材７を挟んだ第１ヒートシール８により封止することで、前シート部９と後シート部１０が連続して互いに対向している。そして、第１ヒートシール８の幅方向内側（図１の右側）に隣接して前シート部９と後シート部１０が第２ヒートシール１１により封止され、長手方向の一端部を幅方向に延在する第３ヒートシール１２により封止して、長手方向の他端部に開口部１３を開設している。なお、前シート部９の表面には、たとえば米の銘柄などが表示され、後シート部１０表面にはたとえば精米所名などが表示される。
【００２２】
一方、第１ヒートシール８と第２ヒートシール１１の長手方向中央Ｐ（図１参照）の両側（図１では上側と下側）には、トムソン加工またはプレス加工により長手方向に所定の間隔をあけて一対の長円形の手提げ孔１４，１４が第１，第２ヒートシール８，１１に跨がって設けられている。また、第３ヒートシール１２から少し開口部側に離間した位置には、第３ヒートシール１２に平行で開閉自在な閉止手段１５が幅方向に延在して設けられている。
【００２３】
図１において、第１ヒートシール８は、小さい間隔ｌ１を隔てて各手提げ孔１４，１４の略左半分に対応する一対の手提げ孔補強部分８ａ，８ａと、各手提げ孔補強部分８ａ，８ａから小さい間隔ｌ２を隔てて開口部１３付近と閉止手段１５付近まで延びる一対の長寸部分８ｂ，８ｂと、各長寸部分８ｂ，８ｂから小さい間隔ｌ３を隔てて開口部１３の左側と閉止手段１５および第２ヒートシール１１の左側まで延びる一対の短寸部分８ｃ，８ｃとの六つの部分に分割されており、前記各間隔ｌ１，ｌ２，ｌ３の前シート部９と後シート部１０は、それぞれ第２ヒートシール１１に連続する第４ヒートシール１６により封止されている。なお、第１ヒートシール８は、必ずしも前記のように六つの部分８ａ，８ａ、８ｂ，８ｂ、８ｃ，８ｃに複数分割する必要はなく、一連のものであってもよい。ただし、前記のように複数分割することで米袋１のデザイン性を向上させることができる。
【００２４】
図３および図４に示すように、各手提げ孔１４，１４の内周域には、非切断部１７を介して第１ヒートシール８に連続して該第１ヒートシール８の一部８Ａと第２ヒートシール１１の一部１１Ａとを有する舌片１８を残存させるとともに、該舌片１８を断面積の小さい引き千切り可能な一つのゲート１９によって第２ヒートシール１１に連続させている。なお、舌片１８を断面積の小さい引き千切り可能な複数（たとえば二つ）のゲート１９によって第２ヒートシール１１に連続させてもよい。
【００２５】
図１，図６に示すように、開閉自在な閉止手段１５は、ヒートシール性樹脂フィルム３に熱圧着された樹脂によって成形されており、前シート部９のヒートシール性樹脂フィルム３に熱圧着されて後シート部１０に向けて突出する凸条部１５ａと、後シート部１０のヒートシール性樹脂フィルム３に熱圧着されて凸条部１５ａを抜脱可能に嵌合する嵌合溝部１５ｂとを備え、常時は、図６のように凸条部１５ａが嵌合溝部１５ｂに抜脱可能かつ気密に嵌合して閉じられている。
【００２６】
前記構成によれば、図１の長手方向の他端部に開設した開口部１３から所定量の米を充填した後、該開口部１３を幅方向に延在する第４ヒートシール２０により封止することで米袋１内に米を封入してスーパマーケットや米販売店の店頭に陳列して販売に供することができる。そして、購入者は後述するように一対の手提げ孔１４，１４を利用して米袋１を携行する。
【００２７】
スーパーマーケットや米販売店の店頭での米袋１の陳列は、ゲート１９が引き千切られていない舌片１８の拘束状態でなされる。このように、舌片１８の拘束状態で米袋１を陳列することで、その米袋１は、未だ第三者による携行がなされていない手付かずの商品であることを購買者に認識させて購買欲を高めるのに役立つ。
【００２８】
つぎに、一対の手提げ孔１４，１４を利用して米袋１を携行する手順について説明する。
まず、指先で一つのゲート１９を引き千切ることにより舌片１８の拘束を解く。つぎに、指先で舌片１８を各手提げ孔１４，１４から押し出しながら、図５のように一方の手提げ孔１４に人差し指と中指の二本の指Ｆ（ただし図５には、一本の指Ｆのみが示されている）の指腹ｆをあてがって米袋１を持ち下げるのと同時に、図５には示されていない他方の手提げ孔に薬指と子指の二本の指の指腹をあてがって持ち下げることによって米袋１を店頭から携行する。
【００２９】
各手提げ孔１４，１４から舌片１８が押し出されることで、図５のように非切断部１７が折れ曲がって前記各指の指腹ｆに接触するので、指腹ｆとの接触面積が大きくなって指腹ｆの痛みを軽減できる。また、前記断面積の小さい引き千切り可能な一つのゲート１９は、前シート部９と後シート部１０を封止している第２ヒートシール１１に含まれ、第１ヒートシール８のように不織布からなる補強材７を挟んでいないので、指先で容易に引き千切ることができる。
【００３０】
一方、購入者の自宅では、図８に示すように、第３ヒートシール１２と閉止手段１５を上側に位置させ、第４ヒートシール２０を下側に位置させた上下の反転姿勢で米袋１を床面などに起立させたのち、第３ヒートシール１２と閉止手段１５の間を一点鎖線Ｃに沿って全てを切断して、第３ヒートシール１２を除去することによって閉止手段１５を目視可能位置に臨ませ、この閉止手段１５を図７のように開くことで米を取り出す開口部２１が形成され、開いた閉止手段１５を図６のように閉じることで前記開口部２１が封止されて、米袋１内に残存する米の変質劣化を防ぐことができる。特に、凸条部１５ａと、この凸条部１５ａを抜脱可能に嵌合する嵌合溝部１５ｂとを備えた樹脂製の閉止手段１５は、嵌合溝部１５ｂから凸条部１５ａを抜脱する簡単な操作によって、米を取り出すための開口部２１を形成することができ、嵌合溝部１５ｂに凸条部１５ａを嵌合する簡単な操作によって、前記開口部２１を封止することができるので自宅での使用性が向上する。
【００３１】
他方、長円形の一対の手提げ孔１４，１４は、第１ヒートシール８と第２ヒートシール１１の一部を切り抜いて長手方向の間隔をあけて設けられているので、長手向の寸法Ｌが幅方向の寸法Ｗよりも大きい通常の米袋１であると、この米袋１は寸法の大きい長手方向を横に指向した状態で携行されることになる。したがって、携行時における米袋１の揺動振幅が小さく抑制されるので携行が容易になる。しかも、米袋１の下端から路面や床面までの間隔を大きく確保できるので、路面や床面に目視し難い障害物が存在していても、この障害物との衝突を回避できるから携行時の安全性が向上する。
【００３２】
また、米袋１の携行は、前述のように一方の手提げ孔１４に人差し指と中指の指腹ｆをあてがって持ち下げ、他方の手提げ孔１４に薬指と子指の指腹をあてがって持ち下げることによってなされるので、米の重量は各手提げ孔１４，１４に分散されて一対の手提げ孔補強部分８ａ，８ａの補強材７に応力を発生させることになり、補強材７の負担を軽減してその変形が抑えられる。これにより、各手提げ孔１４，１４の変形が回避されて、各手提げ孔１４，１４それぞれの破損を確実に防止することができる。
【００３３】
さらに、補強材７を不織布によって構成し、この不織布からなる補強材７を挟んだ第１ヒートシール８により米袋１の長手向の他辺部６を封止しているので、第１ヒートシール８硬度は、補強材７を挟むことなく前シート部９と後シート部１０を直接封止した第２ヒートシール１１の硬度よりも低く抑えられる。これにより、第１ヒートシール８に柔軟性を持たせることができるので、前述のように、複数本の指で米袋１を持ち下げた時に感じる指腹の痛みを軽減できる。
【００３４】
米袋１は、表側の和紙２によって和紙独特の優雅な雰囲気を醸しだして見栄えを大幅に向上させることができるとともに、充填されている米の変質劣化は、ヒートシール性樹脂フィルム３の非通気性によって防止できる。
【００３５】
特に、楮などの和紙の原料、清水およびネリなどからなる紙料液に、藁（詳しくは稲藁）の短繊維を所定の比率で混合して、これを均等に分布させた和紙を抄造し、この和紙を表側に配したシート材４で米袋１を構成すれば、藁の短繊維を視認できるので、米袋１に充填されている商品（米）は稲から取り入れられていることを購入者の視覚に訴えて、米生成の再確認を促すことができる。
【００３６】
前記実施形態では、長手方向の１辺５を折り曲げ、該長手方向の１辺５に平行な長手向の他辺部６を第１ヒートシール８と第２ヒートシール１１により封止することで、前シート部９と後シート部１０とを連続して互いに対向させた構成で説明しているが、長方形を呈する前シート部９と後シート部１０とを重ね合わせ、その長手方向の両辺部を第１ヒートシール８と第２ヒートシール１１により封止し、特に、長手向の他辺部の第１ヒートシール８と第２ヒートシール１１のシール幅を長手向の１辺の第１ヒートシール８と第２ヒートシール１１のシール幅よりも大きく設定して、シール幅の大きい長手向の他辺部の第１ヒートシール８と第２ヒートシール１１に跨がって一対の手提げ孔１４，１４を設けた構成であってもよい。
【００３７】
また、前記実施形態では、開閉自在な閉止手段１５を一方のヒートシール性樹脂フィルム３に熱圧着された樹脂製の凸条部１５ａと、他方のヒートシール性樹脂フィルム３に熱圧着されて凸条部１５ａを抜脱可能に嵌合する嵌合溝部１５ｂとからなる構成で説明しているが、たとえば、係脱可能に係合し合う面ファスナーの一方側を一方のヒートシール性樹脂フィルム３に取り付け、面ファスナーの他方側を他方のヒートシール性樹脂フィルム３に取り付けて開閉自在な閉止手段１５を構成してもよい。
【符号の説明】
【００３８】
１  米袋
２  和紙
３  ヒートシール性樹脂フィルム
４  シート材
５  長手方向の１辺（長手方向の一方の辺部）
６  長手方向の他辺部（長手方向の他方の辺部）
７  不織布からなる補強材
８  第１ヒートシール
８Ａ  第１ヒートシールの一部
９  前シート部
１０  後シート部
１１  第２ヒートシール
１１Ａ  第２ヒートシールの一部
１３  開口部
１４  一対の手提げ孔
１５  閉止手段
１７  非切断部
１８  舌片
１９  ゲート
【図１】
2011025945.tif 000003
【図２】
2011025945.tif 000004
【図３】
2011025945.tif 000005
【図４】
2011025945.tif 000006
【図５】
2011025945.tif 000007
【図６】
2011025945.tif 000008
【図７】
2011025945.tif 000009
【図８】
2011025945.tif 000010
【図９】
2011025945.tif 000011